(57)【要約】【課題】設置が容易に行える電気機器、および電気機器セットを提供する。【解決手段】少なくとも２つの電気機器１００のそれぞれは、設置面５１に当接して設置される設置板２１を含む筐体２０と、筐体２０に収容された電気回路４１と、を備え、設置板２１は、設置板２１の一端に、第１傾斜部２７を有し、設置板２１の他端に、第２傾斜部２８を有し、少なくとも２つの電気機器１００のうちの他の電気機器１００を、一の電気機器１００に対して、相対移動させた際に、他の電気機器１００の第２傾斜部２８と、一の電気機器１００の第１傾斜部２７とが互いに係止する。【選択図】図１
2020181908.tif 000002
【特許請求の範囲】
【請求項１】
第１方向に隣接して設置される少なくとも２つの電気機器のうちの一の電気機器であって、
前記電気機器は、
前記第１方向、および前記第１方向と直交する第２方向に延伸する設置板を含む筐体を備え、
前記設置板は、前記設置板の平面視において、
前記設置板の前記第１方向における一端に、前記第１方向における一方側に向かって、前記第２方向における一方側に傾斜する第１傾斜部を有し、
前記設置板の前記第１方向における他端に、前記第１方向における他方側に向かって、前記第２方向における他方側に傾斜する第２傾斜部を有し、
前記第１傾斜部と前記第２傾斜部とは、前記少なくとも２つの電気機器のうちの他の電気機器を、前記一の電気機器に対して、前記第２方向における一方側の方向に相対移動させた際に、前記他の電気機器の前記第２傾斜部と、前記一の電気機器の前記第１傾斜部とが互いに係止する形状である
電気機器。
【請求項２】
前記第１傾斜部は、前記設置板の前記第１方向における一方側に向けて凹となる凹部の一部に形成され、
前記第２傾斜部は、前記設置板の前記第１方向における一方側に向けて凸となる凸部の一部に形成される
請求項１に記載の電気機器。
【請求項３】
第１方向に配列して設置面にそれぞれ設置され、隣り合って設置される少なくとも２つの電気機器のうちの一の電気機器であって、
前記電気機器は、
前記設置面に当接して設置される設置板を含む筐体を備え、
前記設置板は、前記設置板の平面視において、
前記設置板の前記第１方向における一端に、前記第１方向における一方側に向かって、前記設置面と平行な面において前記第１方向と直交する第２方向における一方側に傾斜する第１傾斜部を有し、
前記設置板の前記第１方向における他端に、前記第１方向における他方側に向かって、前記第２方向における他方側に傾斜する第２傾斜部を有し、
前記少なくとも２つの電気機器のうちの他の電気機器を、前記一の電気機器に対して、前記第２方向における一方側の方向に相対移動させた際に、前記他の電気機器の前記第２傾斜部と、前記一の電気機器の前記第１傾斜部とが互いに係止する
電気機器。
【請求項４】
前記第１傾斜部は、前記設置板の前記第１方向における一方側に向けて凹となる凹部の一部に形成され、
前記第２傾斜部は、前記設置板の前記第１方向における一方側に向けて凸となる凸部の一部に形成される
請求項３に記載の電気機器。
【請求項５】
前記凹部は、前記他の電気機器が備える前記凸部が前記凹部に嵌合するときに、前記他の電気機器が備える前記凸部が第２方向に移動可能な大きさを有する
請求項４に記載の電気機器。
【請求項６】
前記凹部の第１方向における長さは、前記凸部の第１方向における長さよりも長い
請求項２、４、５のいずれか一項に記載の電気機器。
【請求項７】
前記凹部の第１方向における長さは、前記凸部の第１方向における長さよりも短い
請求項２、４、５のいずれか一項に記載の電気機器。
【請求項８】
前記第１傾斜部、および前記第２傾斜部は、前記設置面と前記設置板とが重なる方向から見たときに直線で構成される
請求項３〜７のいずれか一項に記載の電気機器。
【請求項９】
前記第１傾斜部、および前記第２傾斜部は、前記設置面と前記設置板とが重なる方向から見たときに曲線で構成される
請求項３〜７のいずれか一項に記載の電気機器。
【請求項１０】
前記設置板は、ネジによって前記設置板が前記設置面に設置されるためのネジ孔を有し、
前記ネジ孔は、第２方向における一方側に設けられ、前記ネジの頭部よりも大きい大孔と、第２方向における他方側に設けられ、前記ネジの頭部よりも小さい小孔とが一体化して構成される
請求項３〜９のいずれか一項に記載の電気機器。
【請求項１１】
前記設置板は、ネジによって前記設置板が前記設置面に設置されるためのネジ孔を有し、
前記ネジ孔は、
第２方向において長尺状の孔であり、
前記ネジ孔の短手方向の長さは、前記ネジの頭部よりも短い
請求項３〜９のいずれか一項に記載の電気機器。
【請求項１２】
前記第１傾斜部、および前記第２傾斜部は、さらに、前記設置板の厚み方向において、前記設置面に向かって前記第２方向における一方側にそれぞれ傾斜している
請求項３〜１１のいずれか一項に記載の電気機器。
【請求項１３】
前記一の電気機器はさらに、前記筐体内に収容された電気回路と、前記筐体の外面に位置して前記電気回路に電気的に接続される接続端子と、を備え、
前記少なくとも２つの電気機器がそれぞれに備える前記電気回路は、前記接続端子どうしを接続するバスバーによって前記筐体の外面において電気的に接続される
請求項３〜１２のいずれか一項に記載の電気機器。
【請求項１４】
第１方向に配列して設置面にそれぞれ設置され、互いに電気的に接続される少なくとも２つの電気機器を備える電気機器セットであって、
前記少なくとも２つの電気機器のそれぞれは、
前記設置面に当接して設置される設置板を含む筐体と、
前記筐体に収容された電気回路と、を有し、
前記設置板は、
前記設置板の前記第１方向における一端に、前記設置板の一方側に向かうにつれて前記設置面と平行な面において前記第１方向と直交する第２方向における一方側に傾斜する第１傾斜部を有し、
前記設置板の前記第１方向における他端に、前記設置板の他方側に向かうにつれて前記第２方向における他方側に傾斜する第２傾斜部を有し、
前記少なくとも２つの電気機器のうちの他の電気機器を、前記一の電気機器に対して、前記第２方向における一方側の方向に相対移動させた際に、前記他の電気機器の前記第２傾斜部と、前記一の電気機器の前記第１傾斜部とが互いに係止する
電気機器セット。
【発明の詳細な説明】
【技術分野】
【０００１】
本開示は電気機器、および電気機器セットに関する。
【背景技術】
【０００２】
従来、電子機器、計測機器などの装置において、個々の装置の機能を組み合わせて使用する形態の場合、形状の異なる筐体を有する複数の装置を積み上げるなどの方法で設置して使用することが一般的に行われていた。しかしながら、このような形状の異なる筐体を有する複数の装置を積み上げる方法では安定性に欠き、別途収納架体、および棚などを必要としていた。特許文献１には、機器ユニット筐体の両側面に相対する筋状の嵌合溝、および凸起条を設け、横方向に密着連結できる機器ユニット筐体が開示されている。このような機器ユニット筐体は、機器ユニット筐体どうしが連結され、別途収納架体、および棚などを必要とすることなく安定的に設置することが可能である。
【先行技術文献】
【特許文献】
【０００３】
【特許文献１】特開昭６１−４５９８９号公報
【発明の概要】
【発明が解決しようとする課題】
【０００４】
しかしながら、特許文献１に開示された機器ユニット筐体は、機器ユニット筐体を設置する際に様々な制限があるため煩雑である。そこで、本開示は、設置が容易に行える電気機器、および電気機器セットを提供する。
【課題を解決するための手段】
【０００５】
本開示における電気機器の一態様は、第１方向に隣接して設置される少なくとも２つの電気機器のうちの一の電気機器であって、前記電気機器は、前記第１方向、および前記第１方向と直交する第２方向に延伸する設置板を含む筐体を備え、前記設置板は、前記設置板の平面視において、前記設置板の前記第１方向における一端に、前記第１方向における一方側に向かって、前記第２方向における一方側に傾斜する第１傾斜部を有し、前記設置板の前記第１方向における他端に、前記第１方向における他方側に向かって、前記第２方向における他方側に傾斜する第２傾斜部を有し、前記第１傾斜部と前記第２傾斜部とは、前記少なくとも２つの電気機器のうちの他の電気機器を、前記一の電気機器に対して、前記第２方向における一方側の方向に相対移動させた際に、前記他の電気機器の前記第２傾斜部と、前記一の電気機器の前記第１傾斜部とが互いに係止する形状である。
【発明の効果】
【０００６】
本開示の一態様によれば、電気機器、および電気機器セットを容易に設置することができる。
【図面の簡単な説明】
【０００７】
【図１】図１は、実施の形態における電気機器の斜視図である。
【図２】図２は、実施の形態における電気機器セットの斜視図である。
【図３】図３は、実施の形態における電気機器セットが設置される設置面と、当該設置面に設置された電気機器セットを示す概略構成図である。
【図４】図４は、実施の形態における電気機器の位置合わせについて説明する図である。
【図５】図５は、実施の形態における電気機器の自動位置合わせについて説明する図である。
【図６】図６は、実施の形態における電気機器どうしの電気的接続について説明する図である。
【図７】図７は、実施の形態の変形例１における電気機器について説明する図である。
【図８】図８は、実施の形態の変形例２における電気機器について説明する図である。
【発明を実施するための形態】
【０００８】
以下、本開示の実施の形態について、図面に基づいて説明する。なお、以下で説明する実施の形態は、いずれも包括的または具体的な例を示すものである。以下の実施の形態で示される数値、形状、材料、構成要素、構成要素の配置位置、および接続形態、ステップ、ステップの順序などは、一例であり、本開示を限定する主旨ではない。また、以下の実施の形態における構成要素の内、独立請求項に記載されていない構成要素については、任意の構成要素として説明される。
【０００９】
また、説明に用いられる各図は、模式図であり、必ずしも厳密に図示されたものではない。また、各図において、実質的に同一の構成に対しては、同一の符号を付し、重複する説明は省略または簡略化される場合がある。
【００１０】
なお、以下の説明では、電気機器、および電気機器セットが配置されている空間においてそれぞれ互いに直交するＸ軸方向（言い換えると第１方向）、Ｙ軸方向（言い換えると第２方向）、およびＺ軸方向を規定して説明する。各軸方向についての説明は適宜後述する。
【００１１】
（実施の形態）
はじめに、図１、および図２を用いて、本実施の形態における電気機器、および電気機器セットの概要について説明する。図１は、本実施の形態における電気機器の斜視図である。また、図２は、本実施の形態における電気機器セットの斜視図である。以降では、単一の機器を電気機器１００とし、複数の機器が連結されたものを電気機器セット２００として説明する。
【００１２】
［電気機器、および電気機器セット］
本実施の形態における電気機器１００は、モータ制御に用いられるアンプであるものとして説明される。なお、電気機器１００は、例えば、ロボットアームの制御装置、オーディオ用のコンポーネント、モジュール化された計測装置等、連結して用いられることが想定される機器セットのうちの個々の機器である。
【００１３】
図１に示すように、電気機器１００は、筐体２０と、筐体２０に収容された電気回路４１とを備える。電気機器１００は、例えば、略直方体の形状である。電気機器１００は、このような直方体の形状とすることで製造が容易、かつ連結する際に隣り合う電気機器１００どうしを近接させやすくなる。電気機器１００は、図２に示すように他の電気機器１００と連結することができる。また、このような連結の際、例えば電気機器１００とは異なる電気機器１００ａと連結して電気機器セット２００を構成することもできる。例えば、後述するように、電気機器１００ａは、電気機器１００に電源を供給する電源モジュールを構成することがある。
【００１４】
［筐体］
筐体２０は、電気機器１００の外形を形成し、収容される電気回路４１を保護、および外部から絶縁するための内部空間を有する箱型の容器である。つまり、筐体２０の形状は、電気機器１００の形状と一致しており、６つの面からなる略直方体の形状である。筐体２０は、第１側板３１、天板３２、第２側板３３、前面パネル３４、底板３８、および設置板２１を有する。
【００１５】
第１側板３１は、筐体２０のＸ軸方向プラス側の面を形成する板状の部材である。第１側板３１は、金属または樹脂等の硬質な材料を用いて形成される。第１側板３１には、筐体２０が形成する箱型の内面側に、筐体２０に収容される電気回路４１を固定するための固定手段（図示しない）が設けられている。
【００１６】
天板３２は、筐体２０のＹ軸方向プラス側の面を形成する板状の部材である。天板３２は、金属または樹脂等の硬質な材料を用いて形成される。天板３２は、第１側板３１と一体的に形成されてもよく、この場合、第１側板３１と同一の材料によって形成される。また、天板３２と第１側板３１とは異なる材料を用いて別個に形成されてもよい。この場合、天板３２は、第１側板３１に後付けで接合される。また、天板３２には、筐体２０に収容される電気回路４１に電気的に接続された複数のコネクタが形成されており、筐体２０の外部から電気回路４１に対して信号を入出力することができる。なお、このようなコネクタは形成されていなくてもよい。また、天板３２には、筐体２０の内部空間に熱が滞留しないようにするため、通気口が形成されている。なお、このような通気口も形成されていなくてもよい。
【００１７】
第２側板３３は、筐体２０のＸ軸方向マイナス側の面を形成する板状の部材である。第２側板３３は、金属または樹脂等の硬質な材料を用いて形成される。第２側板３３は、第１側板３１、および天板３２とは別部材によって構成される。このように構成することで、第２側板３３は、筐体２０が形成する箱型の内部空間にアクセス可能な開口を形成する。したがって、第２側板３３は、取り外し可能な機構を有する。
【００１８】
前面パネル３４は、筐体２０のＺ軸方向マイナス側の面を形成する板状の部材である。前面パネル３４は、金属または樹脂等の硬質な材料を用いて形成される。前面パネル３４は、筐体２０の最外面に、開閉可能な第１蓋部３５、および第２蓋部３６を有し、それぞれ覆い隠している筐体２０の外面にアクセス可能に形成されている。また、前面パネル３４は、筐体２０の外面のさらに外側において、開閉しない基礎面部３７を有し、第１蓋部３５、および第２蓋部３６が閉状態のときに基礎面部３７が形成する面と、第１蓋部３５、および第２蓋部３６が形成する面とが面一となるように構成されている。前面パネル３４は、一例として硬質な樹脂によって形成され、第１側板３１の一部を覆うように構成される。このようにして、第１側板３１と重なる箇所において、前面パネル３４が固定されてもよい。
【００１９】
底板３８は、筐体２０のＹ軸方向マイナス側の面を形成する板状の部材である。底板３８は、金属または樹脂等の硬質な材料を用いて形成される。底板３８は、天板３２と同様に第１側板３１と一体化されている。また、底板３８には、天板３２と同様に、コネクタ、および通気口が形成されてもよい。
【００２０】
設置板２１は、筐体２０のＺ軸方向プラス側の面を形成する板状の部材である。設置板２１は、金属または樹脂等の硬質な材料を用いて形成される。設置板２１は、一例として第１側板３１と溶接して固定される。なお、設置板２１は、第１側板３１と一体的に形成されてもよい。
【００２１】
設置板２１の外面は、電気機器１００が設置される設置面に当接する。したがって、設置板２１の外面は、設置面に沿う形状である。本実施の形態においては、設置面は、Ｘ軸、およびＹ軸が成すＸＹ平面と平行に形成されるため、設置板２１の外面もＸＹ平面に沿う形状である。なお、設置面が平面でない場合、設置板２１が平面の形状ではなく設置面に沿う形状であってもよい。この場合、設置板２１と接する第１側板３１、天板３２、第２側板３３、および底板３８は、設置板２１の形状に合わせた形状であってもよい。
【００２２】
設置板２１は、前述したようにＸＹ平面と平行な設置面に対して設置されるが、これはネジ止めによって行われる。したがって、設置板２１には、Ｚ軸方向に沿って貫通し、ネジによって設置板２１が設置面に設置されるためのネジ孔２４が形成されている。ネジ孔２４は、設置板２１のＹ軸方向プラス側の端部に設けられている。また、ネジ孔２４は、Ｙ軸方向におけるマイナス側に設けられ、ネジの頭部よりも大きい大孔２３と、Ｙ軸方向におけるプラス側に設けられ、ネジの頭部よりも小さい小孔２２とが一体化して構成される。
【００２３】
このような構造により、あらかじめネジが仮止めされた設置面に対して、大孔２３を通過させてネジの頭部を挿通し、設置板２１をＹ軸マイナス方向に移動させることで小孔２２に対応する箇所においてネジ止めすることができる。なお、ネジの仮止めとは、設置板２１の厚み（Ｚ軸方向における長さ）よりも十分長い長さに対応する一部のネジ軸部分を残し、他のネジ軸部分を設置面に取付けておくことを意味する。
【００２４】
設置板２１には、さらにＹ軸方向マイナス側端部においてネジ止めが行えるよう、Ｚ軸方向に貫通する切り欠き様構造２９が設けられている。切り欠き様構造２９は、設置に用いられるネジの頭部の直径よりも狭く（Ｘ軸方向の長さが短く）、ネジ軸の直径よりも広い（Ｘ軸方向の長さが長い）幅を有する。また、切り欠き様構造２９は、Ｙ軸方向マイナス側が外部とつながる窪み構造を有する。つまり、切り欠き様構造２９も、あらかじめ設置面に仮止めされたネジを用いて固定することができる。このように、設置板２１のＹ軸方向の両端においてネジ止めされることで、筐体２０は、設置面に固定される。
【００２５】
ここで、設置板２１はさらに、隣り合う電気機器１００と連結するための凹部２５、および凸部２６を有する。隣り合う電気機器１００は、それぞれ向い合って位置する、凹部２５、および凸部２６が互いに嵌合することで連結される。複数の電気機器１００は、Ｘ軸方向に沿って配列され、連結される。したがって、凹部２５、および凸部２６は、設置板２１のＸ軸方向における両端部にそれぞれ形成される。より具体的には、凹部２５は、設置板２１のＸ軸方向におけるマイナス側に向けて凹となる。また、凸部２６は、設置板２１のＸ軸方向におけるマイナス側に向けて凸となる。よって、筐体２０の第１側板３１、および第２側板３３が対向する箇所よりもＸ軸方向マイナス側において凸部２６が凹部２５に嵌合する（Ｘ軸方向における移動により嵌り合う）。
【００２６】
設置板２１は、設置板２１のＸ軸方向におけるプラス側端部に、Ｘ軸方向におけるマイナス側に向かって、Ｙ軸方向におけるマイナス側に傾斜する第１傾斜部２７を有する。さらに設置板２１は、設置板２１のＸ軸方向におけるマイナス側端部に、Ｘ軸方向におけるプラス側に向かって、Ｙ軸方向におけるプラス側に傾斜する第２傾斜部２８を有する。さらに具体的には、第１傾斜部２７は、前述した凹部２５の一部に設けられる。また、第２傾斜部２８は、前述した凸部２６の一部に設けられる。第１傾斜部２７、および第２傾斜部２８の詳細な形状については、図４を用いて後述する。
【００２７】
なお、このような凹部２５、および凸部２６は、設置板２１のＸ軸方向におけるプラス側またはマイナス側の端部に複数設けられていてもよい。本実施の形態においては、Ｙ軸方向におけるプラス側、およびマイナス側の端部２か所にそれぞれ一組ずつの凹部２５と凸部２６を備える構成として説明する。なお、本実施の形態においては、Ｘ軸方向プラス側の端部２か所に凹部２５をそれぞれ備えたが、Ｘ軸方向プラス側の端部２か所に凹部２５、および凸部２６をそれぞれ備えてもよい。
【００２８】
［電気回路］
電気回路４１は、電気機器１００の機能を担う部分であり、電子部品と、配線と、これらを支持する基板とによって構成される。電気回路４１の構成は、電気機器１００の構成により様々であるが、本実施の形態においては、モータを制御するアンプモジュールを実現する電気回路４１、および複数の電気回路４１に電力を供給するための電源モジュールを実現するための電気回路４１ａとして説明する。したがって、図２に示す電気機器セット２００は、Ｘ軸方向におけるマイナス側から順に電気回路４１ａを収容する電気機器１００ａ、電気回路４１を収容する電気機器１００、および電気回路４１を収容する電気機器１００が連結されて構成されている。
【００２９】
［電気機器の設置］
次に図３〜図５を用いて、電気機器１００、および１００ａの設置について説明する。図３は、本実施の形態における電気機器セットが設置される設置面と、当該設置面に設置された電気機器セット２００を示す概略構成図である。図３の（ａ）は、設置面５１をＺ軸方向マイナス側から見た平面図である。また、図３の（ｂ）は、設置面５１に設置された電気機器セットを示す斜視図である。なお、以降の説明では、簡略化のため電気機器１００、および１００ａは、設置板２１がＹ軸方向に飛び出た、略直方体の形状として説明する。なお、図３の（ｂ）では、合計６個の電気機器１００、および１００ａが連結されているが、電気機器１００、および１００ａは、連結数に制限はなく、設置面５１の大きさによって無数に連結することができる。
【００３０】
図３の（ａ）に示すように設置面５１には、ネジが取付けられるための第１取付け穴５２が形成されている。このような第１取付け穴５２は、Ｘ軸方向に沿って長さＡで示す一定間隔で、設置される電気機器１００、および１００ａの数に対応する数だけ形成されている。また、第１取付け穴５２からＹ軸方向に長さＢで示す距離だけ離間して第２取付け穴５３が形成されている。第２取付け穴５３は、第１取付け穴５２の数と同数設けられる。
【００３１】
あらかじめ設置面５１に対して設けられた第１取付け穴５２は、電気機器１００、および１００ａの設置板２１に形成されたネジ孔２４の位置に対応し、また第２取付け穴５３は、切り欠き様構造２９の位置に対応する。したがって、図３の（ｂ）に示すように、電気機器１００、および１００ａを設置面５１に設置する際には、電気機器１００、および１００ａのそれぞれについて、ネジ５４を用いて設置面５１にネジ止めすればよい。
【００３２】
このとき、前述した長さＡは、連結した電気機器１００どうしの（または電気機器１００と電気機器１００ａとの）ネジ孔２４の離間距離に対応している。また、長さＢは、個々の電気機器１００、および１００ａのネジ孔２４と切り欠き様構造２９との離間距離に対応している。よって、あらかじめ設けられた第１取付け穴５２、および第２取付け穴５３によって、各電気機器１００、および１００ａの位置は、おおよそ決定される。
【００３３】
ここで、図４を用いて、隣り合う電気機器１００、および１００ａどうしの位置合わせについて説明する。図４は、本実施の形態における電気機器の位置合わせについて説明する図である。図４の（ａ）は、電気機器セット２００をＺ軸方向マイナス側から見た平面図である。また、図４の（ｂ）は、図４の（ａ）に破線で示す領域Ｎを拡大した図である。また図４の（ｃ）は、図４の（ｂ）に破線で示す領域Ｍを拡大した図である。
【００３４】
図４の（ａ）に示すように、電気機器１００、および１００ａを設置する際には、個々の電気機器１００、および１００ａをＸ軸方向マイナス側からＸ軸方向プラス側に向かって順に設置する。図４の（ａ）では、電気機器１００ａの筐体２０ａ、電気機器１００の筐体２０が順に設置面５１に設置され、さらに電気機器１００の筐体２０が設置される途中の様子が示されている。なお、本図ではネジ５４の図示は省略されているが、すでに設置された電気機器１００、および１００ａの筐体２０、および筐体２０ａはネジ止めされた状態である。
【００３５】
ここで、設置しようとする電気機器１００を、すでに設置された電気機器１００に対して、図４の（ｂ）に矢印で示す設置方向、すなわちＹ軸方向マイナス側（第２方向における一方側）に相対移動させる。すると、設置しようとする電気機器１００の第２傾斜部２８と、すでに設置された電気機器１００の第１傾斜部２７とが互いに係止する。
【００３６】
図４の（ｂ）に示すように、設置方向（Ｙ軸方向）に沿う移動は、設置しようとする電気機器１００の凸部２６が、すでに設置された電気機器１００の凹部２５に嵌合した状態で行われる。つまり、凹部２５は、凸部２６がその内部でＹ軸方向に沿って移動可能な大きさを有する。
【００３７】
また、このような設置方向（Ｙ軸方向）に沿う移動は、設置面５１に仮止めされたネジ５４がネジ孔２４に挿通された状態で行われる。したがって、ネジ孔２４もネジ孔２４内においてネジ５４がＹ軸方向に沿って移動可能な大きさを有する。前述したように、本実施の形態におけるネジ孔２４は、大孔２３と小孔２２とによって構成され、これらがＹ軸方向に沿って配置、一体化されて１つの孔となった形状であり、上記のＹ軸方向に沿う移動が可能な大きさを有する。より詳しくは、ネジ孔２４を形成する大孔２３、および小孔２２はそれぞれ円形であり、それぞれの円形の円心どうしの距離を長さＣとする。この時、ネジ孔２４に挿通されたネジ５４は、少なくともネジ軸の軸心が長さＣ分だけＹ軸方向に沿って移動可能である。
【００３８】
ここで、図４の（ｃ）を用いて凹部２５、および凸部２６の形状についてさらに説明する。凹部２５は、設置板２１のＸ軸方向プラス側の側面がＸ軸方向マイナス側に向けて陥入する形状である。当該陥入によって形成される空間は、Ｚ軸方向マイナス側から見た平面視において、矩形を基本としたとき、当該矩形のＹ軸方向マイナス側のみが傾斜した台形状である。このような傾斜は、Ｘ軸方向マイナス側、かつＹ軸方向マイナス側に向かって抉れるように傾斜している第１傾斜部２７を形成する。言い換えると、凹部２５の一部には、Ｙ軸方向プラス側に向くフック形状の第１傾斜部が形成されている。
【００３９】
一方、凸部２６は、設置板２１のＸ軸方向マイナス側の側面がＸ軸方向マイナス側に向けて突出する形状である。当該突出によって形成される形状は、上記の凹部２５に対応しており、Ｚ軸方向マイナス側から見た平面視において、矩形を基本としたとき、当該矩形のＹ軸方向マイナス側のみが傾斜した台形状である。つまり、凸部２６は設置板２１のＸ軸方向マイナス側の側面が台形状に突出して形成される。このような凸部２６の形状により、凸部２６の一部にはＹ軸方向マイナス側に向くフック形状の第２傾斜部２８が形成されている。
【００４０】
よって、凹部２５と、凸部２６とは、Ｙ軸方向プラス側に向くフックと、Ｙ軸マイナス側に向くフックとで引掛け合い、隣り合う筐体２０どうしをＹ軸方向に沿って相対移動した際に第１傾斜部２７と第２傾斜部２８とが互いに係止する。
【００４１】
図４の（ｃ）は、このようにして係止された状態の凹部２５、および凸部２６を示している。図４の（ｃ）に示すように、凹部２５によって形成される空間において、係止された凸部２６よりもＹ軸方向プラス側に、凸部２６に占有されていない余剰空間が存在している。このような余剰空間の存在により、凸部２６は、凹部２５に嵌合した状態においてもＹ軸方向に沿って移動可能である。より具体的には、このような余剰空間は、Ｙ軸方向の長さが長さＣの空間である。したがって、凸部２６は、凹部２５に嵌合した状態においてＹ軸方向に長さＣ分だけ移動可能である。
【００４２】
よって、筐体２０の設置板２１は、ネジ孔２４にネジ５４が挿通され、さらに凸部２６が隣り合う筐体２０の凹部２５に嵌合した状態においてもＹ軸方向に沿って長さＣ分だけ移動可能に構成されている。
【００４３】
また、図４の（ｃ）において、凹部２５のＸ軸方向における長さを、前述した凹部２５が形成する空間の台形状における高さとする。言い換えると、凹部２５の形成されていない設置板２１の側面から、凹部２５の形成によりＸ軸方向に最も離れた位置（凹部２５の底とする）までの距離を凹部２５のＸ軸方向における長さとし、長さＤで表す。同様にして、凸部２６のＸ軸方向における長さを、前述した凸部２６が形成する台形状における高さとする。言い換えると、凸部２６の形成されていない設置板２１の側面から、凸部２６の形成によりＸ軸方向に最も離れた位置（凸部２６の頂とする）までの距離を凸部２６のＸ軸方向における長さとし、長さＥで表す。
【００４４】
本実施の形態においては、Ｄ＞Ｅの関係であり、凹部２５のＸ軸方向における長さは、凸部２６のＸ軸方向における長さよりも長い。したがって、隣り合う電気機器１００を連結する際、Ｘ軸方向において、凹部２５、および凸部２６が形成されていない設置板２１の側面どうしが接触する。この時、凹部２５と凸部２６とが嵌合した凹部２５の形成する空間内においては、凹部２５の底と、凸部２６の頂とが接触せずに隙間が形成される。
【００４５】
以下では、図５を用いて、隣り合う電気機器１００どうしの精密な位置合わせについて一例を説明する。図５は、本実施の形態における電気機器の位置合わせについて説明する図である。図５には、図４の（ｃ）と同一視点において、凹部２５と凸部２６とが嵌合する際の様子が示されており、図５の（ａ）から図５の（ｄ）にかけて時系列に沿って、凹部２５と凸部２６との位置関係の変化を示している。
【００４６】
図５の（ａ）に示すように、ネジ孔２４、および切り欠き様構造２９に対して、あらかじめ設置面５１に仮止めされたネジ５４が挿通され、すでに設置された電気機器１００の凹部２５、および設置しようとする電気機器１００の凸部２６は、およその位置が決定されている。この時、凹部２５と凸部２６とは、凹部２５のＸ軸方向プラス側端部と、凸部２６のＸ軸方向マイナス側端部とがＸ軸上で重なる位置にある。
【００４７】
つまり、第１傾斜部２７と第２傾斜部２８とは、一部が重なる状態である。言い換えると、Ｙ軸方向プラス側に向くフックの先端と、Ｙ軸マイナス側に向くフックの先端とが引掛かり合う位置関係にある。このような位置関係で、すでに設置された電気機器１００の筐体２０に対して、設置しようとする電気機器１００の筐体２０を図中に示す矢印の向き（つまりＹ軸方向マイナス側）に向けて相対移動させる力を与える。すると、設置しようとする電気機器１００の筐体２０が、図中に示す矢印の向き（つまりＹ軸方向マイナス側）に相対移動する。
【００４８】
図５の（ｂ）は、相対移動後の凹部２５と凸部２６との位置関係を示している。図５の（ｂ）には、第１傾斜部２７と第２傾斜部２８とが接触してＹ軸方向に沿う相対移動が制限された状態が示されている。
【００４９】
続けて、すでに設置された電気機器１００の筐体２０に対して、設置しようとする電気機器１００の筐体２０をＹ軸方向マイナス側に向けて相対移動させる力を与える。すると、設置しようとする電気機器１００の筐体２０は、Ｙ軸方向マイナス側に向かう相対移動が制限され、第１傾斜部２７、および第２傾斜部２８の傾斜方向の少なくともいずれかに一致する、図中に示す矢印の向きに相対移動する。ここで、第１傾斜部２７、および第２傾斜部２８は、Ｚ軸方向から見たときに直線で構成される。すなわち、このような相対移動は、直線的な移動である。したがって、電気機器１００に与えられるＹ軸方向マイナス側に向けて相対移動させる力が一定であれば、一定の力で第２傾斜部２８がＸ軸方向マイナス側にも相対移動する。
【００５０】
図５の（ｃ）は、相対移動中の凹部２５と凸部２６との位置関係を示している。図５の（ｃ）には、第１傾斜部２７と第２傾斜部２８とが摺り合い、Ｙ軸方向マイナス側、かつＸ軸方向マイナス側に相対移動している状態が示されている。さらに続けて、すでに設置された電気機器１００の筐体２０に対して、設置しようとする電気機器１００の筐体２０をＹ軸方向マイナス側に向けて相対移動させる力を与えると、図中に示す矢印の向きに相対移動を継続する。
【００５１】
図５の（ｄ）は、相対移動後の凹部２５と凸部２６との位置関係を示している。図５の（ｄ）には、すでに設置された電気機器１００の設置板２１のＸ軸方向プラス側の側面と、設置しようとする電気機器１００のＸ軸方向マイナス側の側面とが接触して相対移動が制限された状態が示されている。このように、設置板２１の側面どうしが接触することで、Ｙ軸方向マイナス側を含め、Ｘ軸方向マイナス側に向けての相対移動も制限され、すでに設置された電気機器１００と、設置しようとする電気機器１００との位置関係が精密に整合される。
【００５２】
このようにして、電気機器１００は、設置面５１に設置される際にＸ軸方向、およびＹ軸方向における相対的な位置関係が精密に決定される。なお、以上のように電気機器１００の設置には、電気機器１００をＹ軸方向マイナス側に向けて相対移動させる力を与えるのみでよい。したがって、連結される電気機器セット２００の設置において、個々の電気機器１００の位置合わせが容易に行える。
【００５３】
なお、Ｙ軸方向マイナス側を重力方向とすることで、設置しようとする電気機器１００をＹ軸方向マイナス側に向けて相対移動させる力を重力によって得ることができる。この場合、電気機器１００は、第１傾斜部２７と第２傾斜部２８とが引掛け合う位置に配置するのみで、自重によって精密な位置合わせが自ずと行われる。また、上記の場合、設置面５１は、鉛直方向に形成された平面であるが、設置しようとする電気機器１００をＹ軸方向マイナス側に向けて相対移動させる力を与えることができれば、電気機器１００はどのような方向に形成された設置面５１においても設置可能である。
【００５４】
［バスバーによる電気機器同士の接続］
次に、図６を用いて、連結された電気機器セット２００における、個々の電気機器１００、および１００ａどうしの電気的接続について説明する。図６は、本実施の形態における電気機器どうしの電気的接続について説明する図である。
【００５５】
前述した前面パネル３４の第１蓋部３５、および第２蓋部３６のうち、一方は、接続端子４２（および接続端子４２ａ）を覆い隠している。本実施の形態では、第２蓋部３６がこの機能を担っているものとして説明する。接続端子４２、および４２ａは、収容される電気回路４１、および４１ａに電気的に接続されている。また、接続端子４２、および４２ａは前面パネル３４において、第２蓋部３６に覆い隠された筐体２０、および２０ａの外面に備えられる。
【００５６】
ここで、接続端子４２、および４２ａには、隣り合う電気機器１００と電気機器１００ａ（または電気機器１００どうし）の電気的接続に用いるバスバー４３が接続される。つまり、電気回路４１、および４１ａは、接続端子４２、および４２ａどうしを接続するバスバー４３によって筐体２０、および２０ａの外面において電気的に接続される。
【００５７】
バスバー４３は、導電性を有する材料から成る導電板４５と、当該導電板４５を保持する絶縁性のホルダ４４とを有する。導電板４５は、隣り合う電気機器１００、および１００ａの接続端子４２、および４２ａどうしを接続する長さを有する長尺板状に構成される。導電板４５は、接続端子４２、および４２ａが有する電極によって、Ｙ軸方向におけるプラス側、およびマイナス側から挟持されることで接続端子４２、および４２ａに電気的に接続される。このとき、導電板４５の板面はＸＺ平面に平行に配置される。隣り合う電気機器１００および１００ａにおいても、同様に導電板４５が挟持され、電気的に接続される。このようにして、隣り合う電気機器１００、および１００ａの接続端子４２、および４２ａどうしが電気的に接続される。
【００５８】
ホルダ４４は、樹脂等で構成される部材である。ホルダ４４は、導電板４５を保持し、かつ、接続端子４２、および４２ａとかみ合うことで導電板４５が接続端子４２、および４２ａから脱落することを防止している。したがって、ホルダ４４は、接続端子４２、および４２ａとかみ合うための爪部を有する。また、接続端子４２、および４２ａも当該爪部に対応する爪受け部を有する。本実施の形態では、導電板４５は、例えば正極用、および負極用の各１枚ずつが用いられる。ホルダ４４は、これらの２枚の導電板４５を短絡しない距離に離間して保持する。なお、バスバー４３は、２枚の導電板４５を個別に保持する２つのホルダ４４で構成してもよい。
【００５９】
なお、電気機器セット２００は、バスバー４３を取り付けた後、第２蓋部３６を閉状態とすることができ、バスバー４３が露出されることによる、感電、漏電、および短絡等の事故を抑制することができる。
【００６０】
［効果等］
以上説明したように、Ｘ軸方向に隣接して設置される少なくとも２つの電気機器のうちの一の電気機器であって、電気機器は、Ｘ軸方向、およびＸ軸方向と直交するＹ軸方向に延伸する（つまりＸＹ平面に沿って主面を有する）設置板２１を含む筐体３７を備え、設置板２１は、設置板２１の平面視において、設置板２１のＸ軸方向における一端に、Ｘ軸方向における一方側に向かって、Ｙ軸方向における一方側に傾斜する第１傾斜部２７を有し、設置板２１のＸ軸方向における他端に、Ｘ軸方向における他方側に向かって、Ｙ軸方向における他方側に傾斜する第２傾斜部２８を有し、第１傾斜部２７と第２傾斜部２８とは、少なくとも２つの電気機器１００のうちの他の電気機器１００を、一の電気機器１００に対して、Ｙ軸方向における一方側の方向に相対移動させた際に、他の電気機器１００の第２傾斜部２８と、一の電気機器１００の第１傾斜部２７とが互いに係止する形状である。
【００６１】
このような電気機器１００によれば、第１傾斜部２７と第２傾斜部２８とによって隣り合う電気機器１００との、Ｘ軸方向、およびＹ軸方向における位置合わせを簡単に行うことができる。よって、電気機器１００は、設置が容易に行える。
【００６２】
また、本実施の形態における電気機器１００は、設置板２１のＸ軸方向におけるプラス側の一端に第１傾斜部２７を有し、また、設置板２１のＸ軸方向におけるマイナス側の他端に第２傾斜部２８を有する。少なくとも２つの電気機器１００のうちの他の電気機器１００を、一の電気機器１００に対して、Ｙ軸方向におけるマイナス側の方向に相対移動させた際に、第１傾斜部２７、および第２傾斜部２８の存在により、他の電気機器１００と、一の電気機器１００とが互いに係止される。
【００６３】
このような電気機器１００によれば、第１傾斜部２７と第２傾斜部２８とによって隣り合う電気機器１００との、Ｘ軸方向、およびＹ軸方向における位置合わせを簡単に行うことができる。よって、電気機器１００は、設置が容易に行える。
【００６４】
また、例えば、第１傾斜部２７は、設置板２１のＸ軸方向におけるマイナス側に向けて凹となる凹部２５の一部に形成され、また第２傾斜部２８は、設置板２１のＸ軸方向におけるマイナス側に向けて凸となる凸部２６の一部に形成されてもよい。
【００６５】
これにより、凹部２５と凸部２６とを嵌合させることで、第１傾斜部２７と第２傾斜部２８とが引掛け合い、隣り合う電気機器１００との、Ｘ軸方向、およびＹ軸方向における位置合わせを簡単に行うことができる。よって、電気機器１００は、設置が容易に行える。
【００６６】
また、例えば、凹部２５は、他の電気機器１００が備える凸部２６が凹部２５に嵌合するときに、他の電気機器１００が備える凸部２６がＹ軸方向に移動可能な大きさを有してもよい。
【００６７】
これにより、凹部２５と凸部２６とが嵌合した後でも、精密な位置合わせのためのＹ軸方向における相対移動が可能となる。よって、電気機器１００は、設置が容易に行える。
【００６８】
また、例えば、凹部２５のＸ軸方向における長さは、凸部２６のＸ軸方向における長さよりも長くてもよい。
【００６９】
これにより、隣り合う電気機器１００どうしが略接するように精密に位置合わせされ、設置面５１が狭い場合にも電気機器１００を取り付け可能である。
【００７０】
また、例えば、第１傾斜部２７、および第２傾斜部２８は、設置面５１と設置板２１とが重なる方向から見たときに直線で構成されてもよい。
【００７１】
これにより、設置しようとする電気機器１００をＹ軸方向マイナス側に向けて相対移動させる力が直線的なパターンでＸ軸方向マイナス側に移動する力に変換される。よって、電気機器１００は、Ｘ軸方向、およびＹ軸方向における位置合わせを簡単に行うことができるため、設置が容易に行える。
【００７２】
また、例えば、設置板２１は、ネジ５４によって設置板２１が設置面５１に設置されるためのネジ孔２４を有し、ネジ孔２４は、Ｙ軸方向におけるマイナス側に設けられ、ネジ５４の頭部よりも大きい大孔２３と、Ｙ軸方向におけるプラス側に設けられ、ネジ５４の頭部よりも小さい小孔２２とが一体化して構成されてもよい。
【００７３】
これにより、あらかじめ設置面５１に取り付けられたネジ５４に対して、後から電気機器１００を取り付けることができる。よって、電気機器１００は、設置が容易に行える。
【００７４】
また、例えば、一の電気機器１００はさらに、電気回路４１に電気的に接続された接続端子４２を筐体２０の外面に備え、少なくとも２つの電気機器１００が備える電気回路４１は、接続端子４２どうしを接続するバスバー４３によって筐体２０の外面において電気的に接続されてもよい。
【００７５】
これにより、電気機器１００を設置した後に、各電気機器間を電気的に接続することができる。隣り合う電気機器１００どうしは精密に位置合わせされているため、ケーブルなどのフレキシブルな手段で接続する必要がなく、最短距離で電気機器１００どうしを接続することができる。よって電気機器１００を省スペースに設置できる。
【００７６】
また、例えば、本実施の形態における電気機器セット２００は、少なくとも２つの電気機器１００を備え、少なくとも２つの電気機器１００のそれぞれは、設置板２１のＸ軸方向におけるプラス側の一端に、第１傾斜部２７を有し、また、設置板２１のＸ軸方向におけるマイナス側の他端に、第２傾斜部２８を有し、少なくとも２つの電気機器１００のうちの他の電気機器１００を、一の電気機器１００に対して、Ｙ軸方向におけるマイナス側の方向に相対移動させた際に、第１傾斜部２７、および第２傾斜部２８の存在により、他の電気機器１００と、一の電気機器１００とが互いに係止されてもよい。
【００７７】
これにより、第１傾斜部２７と第２傾斜部２８とによって隣り合う電気機器１００との、Ｘ軸方向、およびＹ軸方向における位置合わせを簡単に行うことができる。よって、電気機器セット２００は、設置が容易に行える。
【００７８】
（変形例１）
次に、図４の（ｃ）、および図７を用いて、実施の形態の変形例１における電気機器１００について説明する。図７は、実施の形態の変形例１における電気機器について説明する図である。本変形例における電気機器１００は、実施の形態における電気機器１００と比較して凹部２５および凸部２６の形状が異なる。よって、以下では本変形例における電気機器１００の凹部および凸部の第１例、および第２例について説明する。図７の（ａ）は、本変形例における第１例の凹部２５ａ、および凸部２６ａを示している。また図７の（ｂ）は、本変形例における第２例の凹部２５ｂ、および凸部２６ｂを示している。
【００７９】
図４の（ｃ）に示した実施の形態１における凹部２５、および凸部２６は、凹部２５のＸ軸方向における長さＤ＞凸部２６のＸ軸方向における長さＥの関係であり、凹部２５の底と、凸部２６の頂とが接触せずに隙間が形成される構成であった。
【００８０】
これに対し、図７の（ａ）に示した本変形例の第１例における凹部２５ａ、および凸部２６ａは、凹部２５ａのＸ軸方向における長さＤ＜凸部２６ａのＸ軸方向における長さＥの関係であり、凹部２５ａの底と、凸部２６ａの頂とが接触する構成である。より具体的には、第１傾斜部２７ａと第２傾斜部２８ａとが係止された後、電気機器１００どうしをＹ軸方向沿って相対移動させる力を与えた際に、凹部２５ａの底と、凸部２６ａの頂とが接触し、隣り合う電気機器１００どうしの相対移動が抑止される。このため、隣り合う電気機器１００どうしは、設置板２１の側面どうしが接触せず、長さＤと長さＥとの差分である長さＦ分だけ設置板２１どうしが離間する。
【００８１】
このようにして形成された離間は筐体２０においても維持され、第１側板３１、および第２側板３３が離間した配置となる。筐体２０に収容された電気回路４１の構成によっては、回路内の抵抗成分によって発熱が生じる場合があるが、このような離間を設けることにより、第１側板３１、および第２側板３３からも放熱が行われ、過加熱による電気回路４１の不具合を抑制できる。
【００８２】
また、図４の（ｃ）に示した実施の形態１における凹部２５、および凸部２６は、第１傾斜部２７、および第２傾斜部２８が、Ｚ軸方向から見たときに直線で構成されることを説明した。
【００８３】
これに対し、図７の（ｂ）に示した本変形例の第２例における凹部２５ｂ、および凸部２６ｂは、第１傾斜部２７ｂ、および第２傾斜部２８ｂが、Ｚ軸方向から見たときに曲線で構成される。より具体的には、凹部２５ｂ、および凸部２６ｂは、第１傾斜部２７ｂ、および第２傾斜部２８ｂに加えて、それぞれ第３傾斜部２７ｃ、および第４傾斜部２８ｃを有する。第１傾斜部２７ｂと、第３傾斜部２７ｃとは、連続的に形成された半円の窪みを形成している。一方で、第２傾斜部２８ｂと第４傾斜部２８ｃとは、第１傾斜部２７ｂ、および第３傾斜部２７ｃが形成する半円に対応し、連続的に形成された半円の突出を形成している。
【００８４】
このように第１傾斜部２７ｂ、および第２傾斜部２８ｂが曲線で構成されることで、電気機器１００に与えられるＹ軸方向マイナス側に向けて相対移動させる力が一定であっても、第２傾斜部２８ｂがＸ軸方向マイナス側にも相対移動する力を任意のパターンで制御することができる。
【００８５】
つまり、Ｘ軸方向マイナス側への相対移動において、序盤はＹ軸方向に向く力のベクトル成分が大きく、低抵抗でＸ軸方向マイナス側へ相対移動する。隣り合う電気機器１００どうしの位置合わせが完了に近づくにつれて、次第にＸ軸方向マイナス側への相対移動に要する、Ｙ軸方向マイナス側に相対移動させる力が大きくなる。
【００８６】
本変形例における第２例においては、凹部２５ｂは、Ｘ軸方向におけるプラス側からマイナス側に向かって、Ｙ軸方向におけるマイナス側に傾斜する第１傾斜部２７ｂと、Ｙ軸方向におけるプラス側に傾斜する第３傾斜部２７ｃとをこの順に有する。また、凸部２６ｂは、Ｘ軸方向におけるマイナス側からプラス側に向かって、Ｙ軸方向におけるマイナス側に傾斜する第４傾斜部２８ｃとＹ軸方向におけるプラス側に傾斜する第２傾斜部２８ｂとをこの順に有する。
【００８７】
この構成により、凹部２５ｂ、および凸部２６ｂは、ともに実施の形態に示した台形状ではなく、Ｘ軸方向マイナス側に凹、または凸となる矩形から、さらにＹ軸方向マイナス側に凹、または凸となる半円が形成された形状となる。しかしながら、凹部２５ｂは、Ｙ軸方向プラス側に向かうフック形状を形成している。また、凸部２６ｂは、Ｙ軸方向マイナス側に向かうフック形状を形成している。よって、上記の実施の形態と同様にフックどうしが引掛け合い、隣り合う電気機器１００どうしの精密な位置合わせが実現される。
【００８８】
なお、図７の（ｂ）に示す変形例の第２例は、図７の（ａ）と同様に凹部２５ｂのＸ軸方向における長さＤ＜凸部２６ｂのＸ軸方向における長さＥの関係であり、長さＤと長さＥとの差分である長さＦ分だけ設置板２１どうしが離間する構成である。また、本第２例で示す構成は、Ｄ＞Ｅの関係であってもよい。ただし、この場合においては、凹部２５ｂの半円の窪みに対して凸部２６ｂの半円の突出が入り切らない。よって、隣り合う電気機器１００どうしの、より精密な位置合わせが必要な場合は、本変形例の第２例における構成であることが望ましい。
【００８９】
以上説明したように、本変形例の第１例における電気機器１００では、凹部２５ａのＸ軸方向における方向における長さは、凸部２６ａのＸ軸方向における長さよりも短い。
【００９０】
このような電気機器１００によれば、設置板２１どうしが離間し、筐体２０の隣り合う電気機器１００どうしの第１側板３１、および第２側板３３が離間する。よって、第１側板３１、および第２側板３３からも放熱が行われ、過加熱による電気回路４１の不具合を抑制できる。
【００９１】
また、本変形例の第２例における電気機器１００では、第１傾斜部２７ｂ、および第２傾斜部２８ｂは、Ｚ軸方向から見たときに曲線で構成される。
【００９２】
これにより、設置しようとする電気機器１００をＹ軸方向マイナス側に向けて相対移動させる力が曲線的なパターンでＸ軸方向マイナス側に移動する力に変換される。よって、電気機器１００は、Ｘ軸方向、およびＹ軸方向における位置合わせを簡単に行うことができるため、設置が容易に行える。
【００９３】
（変形例２）
次に、図８を用いて実施の形態の変形例２における電気機器１００について説明する。図８は、実施の形態の変形例２における電気機器について説明する図である。本変形例における電気機器１００は、実施の形態における電気機器１００と比較して第１傾斜部２７、および第２傾斜部２８の形状が異なる。よって、以下では、本変形例における電気機器１００の第１傾斜部２７ｄについて説明する。なお、本変形例における第２傾斜部は、第１傾斜部２７ｄに沿う形状であるため説明を省略する。
【００９４】
図８の（ａ）には、実施の形態における設置板２１をＸ軸方向プラス側から見たときの凹部２５が示されている。図中において第１傾斜部２７は、破線で示されている箇所からＹ軸方向プラス側に向かう面として透過して示されている。前述した実施の形態における第１傾斜部２７は、Ｚ軸方向における設置板２１の位置合わせを設置面５１に対して電気機器１００を押し当てるようにして行う必要があった。
【００９５】
一方で、図８の（ｂ）には、本変形例における設置板２１をＸ軸方向プラス側から見たときの凹部２５ｃが示されている。図中において第１傾斜部２７ｄは、図８の（ａ）と同様に透過して示されている。本変形例における第１傾斜部２７ｄは、設置板２１の厚み方向（Ｚ軸方向）におけるマイナス側からプラス側の設置面５１に向かって、Ｙ軸方向マイナス側に傾斜している。なお、図示しないが、前述の通り第２傾斜部も同様の傾斜を有している。本変形例において、すでに設置された電気機器１００の第１傾斜部２７ｄは、設置面５１とともにＹ軸方向プラス側に向くフック形状を形成している。
【００９６】
本変形例において、すでに設置された電気機器１００に対して、設置しようとする電気機器１００をＹ軸方向マイナス側に向けて相対移動させる力を与え、第２傾斜部と、第１傾斜部２７ｄとを引掛け合う。すると、Ｙ軸方向マイナス側に向けて相対移動させる力により、実施の形態に示したように、設置しようとする電気機器１００には、Ｘ軸方向マイナス側に移動する力が生じる。さらに、本変形例では、設置しようとする電気機器１００には、Ｚ軸方向プラス側に移動する力が生じる。このようなＺ軸方向プラス側に移動する力は、設置しようとする設置板２１が設置面５１に接触することで抑制される。
【００９７】
このようにして、本変形例においては、設置しようとする電気機器１００をＹ軸方向マイナス側に向けて相対移動させる力を与えるのみで、Ｘ軸方向、およびＺ軸方向の精密な位置合わせが完了する。
【００９８】
なお、本変形例においても実施の形態において説明したようにＹ軸方向マイナス側を重力方向とすることで、電気機器１００は、自重によって精密な位置合わせを簡単に行うことができる。
【００９９】
以上説明したように、本変形例における電気機器１００では、第１傾斜部２７ｄ、および第２傾斜部は、さらに、設置板２１の厚み方向において、設置面５１に向かってＹ軸方向におけるマイナス側にそれぞれ傾斜している。
【０１００】
このような電気機器１００によれば、設置しようとする電気機器１００をＹ軸方向マイナス側に向けて相対移動させる力を与えるのみで、Ｘ軸方向、およびＺ軸方向の精密な位置合わせが完了する。よって、電気機器１００は、設置が容易に行える。
【０１０１】
（その他の実施の形態）
以上、実施の形態について説明したが、本開示は、上記実施の形態に限定されるものではない。その他、各実施の形態に対して当業者が思いつく各種変形を施して得られる形態、または本発明の趣旨を逸脱しない範囲で各実施の形態における構成要素及び機能を任意に組み合わせることで実現される形態も本発明に含まれる。
【０１０２】
実施の形態においては、電気機器１００をＸ軸方向マイナス側からプラス側にかけて、順に設置することで電気機器セット２００を設置面５１に設置する構成を説明した。例えば、電気機器１００を鏡写しにした構造で構成すれば、Ｘ軸方向プラス側からマイナス側にかけて順に設置する構成も実現可能である。
【０１０３】
また、実施の形態では、凹部２５と凸部２６とが嵌合する構成を説明した。これは例えば、凸部と凸部によって構成されてもよい。つまり、すでに設置された電気機器１００の有する凸部に形成された第１傾斜部２７と設置しようとする電気機器１００の有する凸部に形成された第２傾斜部２８とが係止されることで精密な位置合わせが行われる構成である。
【０１０４】
また例えば、凹部２５と凸部２６とが嵌合する必要もなく、第１傾斜部２７を有する側面の段差と、第２傾斜部を有する側面の段差とによって精密な位置合わせが行われてもよい。
【０１０５】
また、実施の形態においては、電気機器セット２００を構成する個々の電気機器１００の大きさは、すべて略等しい構成であったがこれに限らない。例えば、第１取付け穴５２と第２取付け穴５３との長さＢを変更することで、電気機器１００のＹ軸方向における長さを変更することができる。また隣り合う第１取付け穴５２どうし、および隣り合う第２取付け穴５３どうしの長さＡを変更することで、電気機器１００のＸ軸方向における長さを任意に変更することができる。
【０１０６】
また、例えば、設置板２１は、ネジ５４によって設置板２１が設置面５１に設置されるためのネジ孔２４を有していたが、ネジ孔は、Ｙ軸方向において長尺状の孔であり、ネジ孔の短手方向の長さは、ネジ５４の頭部よりも短い形状の孔であってもよい。これにより、ネジ孔の構造を簡略化することができ、かつ、精密な位置合わせのためのＹ軸方向に沿った相対移動が可能な構成を実現できる。
【産業上の利用可能性】
【０１０７】
本開示における電気機器、および電気機器セットは、設置が容易な電気機器、および電気機器セット等として広く使用される。
【符号の説明】
【０１０８】
２０、２０ａ  筐体
２１  設置板
２２  小孔
２３  大孔
２４  ネジ孔
２５、２５ａ、２５ｂ、２５ｃ  凹部
２６、２６ａ、２６ｂ  凸部
２７、２７ａ、２７ｂ、２７ｄ  第１傾斜部
２７ｃ  第３傾斜部
２８、２８ａ、２８ｂ  第２傾斜部
２８ｃ  第４傾斜部
２９  切り欠き様構造
３１  第１側板
３２  天板
３３  第２側板
３４  前面パネル
３５  第１蓋部
３６  第２蓋部
３７  基礎面部
３８  底板
４１、４１ａ  電気回路
４２、４２ａ  接続端子
４３  バスバー
４４  ホルダ
４５  導電板
５１  設置面
５２  第１取付け穴
５３  第２取付け穴
５４  ネジ
１００、１００ａ  電気機器
２００  電気機器セット
【図１】
2020181908.tif 000003
【図２】
2020181908.tif 000004
【図３】
2020181908.tif 000005
【図４】
2020181908.tif 000006
【図５】
2020181908.tif 000007
【図６】
2020181908.tif 000008
【図７】
2020181908.tif 000009
【図８】
2020181908.tif 000010